(57)【要約】【課題】  ロール体の収容時にワンタッチでロックバーをロック状態とすることが出来、ロック解除も簡単であり、コスト的にも安価であって耐久性にも優れたロール体用ボックスにおけるロール芯のジャンピング防止装置を提供する。【解決手段】  ロール芯を載置するＵ字状載置部の開口部分を開閉し得るロックバーを付設し、当該ロックバーを下ろして前記開口部分を閉塞した際にロックバーの先端部を固定ならしむ自動ロック金具を付設したものであって、該自動ロック金具の前方部分には下ろしてきたロックバーの先端が摺接しつつ最終地点でロック状態とする湾曲状ロック部を形成し、後方部分には手作業によって上方に移動させて前記ロック部によるロック状態を解除するロック解除部を形成したことを特徴とする。【選択図】図１
2008162685.tif 000002
【特許請求の範囲】
【請求項１】
ロール芯を載置するＵ字状載置部の開口部分を開閉し得るロックバーを付設し、当該ロックバーを下ろして前記開口部分を閉塞した際にロックバーの先端部を固定ならしむ自動ロック金具を付設したものであって、該自動ロック金具の前方部分には下ろしてきたロックバーの先端が摺接しつつ最終地点でロック状態とする湾曲状ロック部を形成し、後方部分には手作業によって上方に移動させて前記ロック部によるロック状態を解除するロック解除部を形成したことを特徴とするロール体用ボックスにおけるロール芯のジャンピング防止装置。
【発明の詳細な説明】
【技術分野】
【０００１】  本発明は、ロール状フィルム等の搬送に使用するロール体用ボックスにおけるロール芯のジャンピング防止装置に関するものである。
【背景技術】
【０００２】  ロール状フィルム等の搬送に使用するロール体用ボックスは、ボックス一個に対して一つのロール体を収容するもので、これを搬送時、トラックの荷台等に水平方向及び上方向に多数個を積んでいくものであり、その基本的構造は次のとおりである。四角形の下枠（ベース枠）と各隅より立設する四本の支柱と左右一対の中段枠とにより構成され、中段枠は中央部分にロール体の芯が載置可能な如くＵ字状に形成しており、芯を載置した後に該芯を固定するロックバーを付設したものである。従って、搬送に際してはボックスの上方よりロール体を降下させ、左右の突出した芯部分をボックスのＵ字状載置部にしっかりと載せる。次にロックバーを下ろして、ロック作業を行ってロックバーを固定ならしめ、芯が動かないように、即ちロール体が動かないようにしていくものである。この時、重要な事はロール体の表面が枠体及び支柱で囲った範囲を越えないものとし、搬送時、隣接あるいは上下のロール体と接触しないようにしなければならない。
【発明の開示】
【発明が解決しようとする課題】
【０００３】  ロール体用ボックスのロックバーのロック方法は、一般には丸棒ラッチによるロック方法が多く、即ちロックバー側にラッチ本体を付設し、ロックバーの先端が当接する中段枠位置にラッチ棒の先端が挿入可能な受け金具を付設したものである。従って、作業者はロール体の突出芯を両サイドのＵ字状載置部に降ろした後、ロックバーを下ろしてラッチ棒をスライドさせ、先端部を受け金具に挿入し、ラッチ棒を回して固定用突出軸体を固定溝に入れてロック状態にしなければならない。しかしながら、現場では作業者がラッチ棒を受け金具に差し込んだ状態のみで、ロック状態としないことも多く、搬送時の振動等でラッチ棒の先端が受け金具から抜けてしまい、ロックバーが全く作用せず、Ｕ字状載置部のロール芯が飛び跳ねてロール体が浮き上がった状態となって破損してしまうといったこともあった。【０００４】  本発明は上記の点に鑑みなされたものであり、ロール体の収容時にワンタッチでロックバーをロック状態とすることが出来、ロック解除も簡単であり、コスト的にも安価であって耐久性にも優れたロール体用ボックスにおけるロール芯のジャンピング防止装置を提供することを目的とする。
【課題を解決するための手段】
【０００５】  上記目的を達成するための本発明のロール芯のジャンピング防止装置は、ロール芯を載置するＵ字状載置部の開口部分を開閉し得るロックバーを付設し、当該ロックバーを下ろして前記開口部分を閉塞した際にロックバーの先端部を固定ならしむ自動ロック金具を付設したものであって、該自動ロック金具の前方部分には下ろしてきたロックバーの先端が摺接しつつ最終地点でロック状態とする湾曲状ロック部を形成し、後方部分には手作業によって上方に移動させて前記ロック部によるロック状態を解除するロック解除部を形成したことを特徴とするものである。
【発明の効果】
【０００６】  本発明のロール芯のジャンピング防止装置であれば、ボックスにロール体を収容する際、ロール芯を両サイドのＵ字状載置部に載せた後、ロックバーを下ろせば該ロックバーの先端が自動ロック金具の湾曲状ロック部によって自動的にロックされるので、従来のように完全にロックし得てない状況は皆無となり、搬送中にロックバーが上がってしまってロール芯がジャンピングしてしまい、ロール体を傷めてしまうといった問題を解消し得るものと言える。又、自動ロック金具のロック解除部を持ち上げて上方に移動させれば、前方のロック部によるロックバーのロックが解除されて、ロックバーを上げて載置部のロール芯を引き上げることが出来るものであり、ロックバーのロック解除も非常に簡単に行える構造となっている。
【発明を実施するための最良の形態】
【０００７】  自動ロック金具の設置により、ロックバーの自動ロック並びに容易なロック解除が可能となり、従来のロックし忘れの問題を解消すると共に搬送に係る時間を短縮することが出来た。【０００８】  図１は本発明の一実施例を示す側面図、図２はロックした状態を示す平面図、図３はロックした状態での自動ロック金具を示す側面図、図４はロックバーが下りつつある段階での自動ロック金具を示す側面図、図５はロール体用ボックス全体を示す概略斜視図である。【０００９】  図面において、１はロックバーで、従来のロックバーと同様にＵ字状ロール芯載置部４の開口部分を開閉し得る如く、その基端部分を中段枠３に回動部１ａを介して回動自在に付設している。尚、ロックバー１の底面にはロール芯Ｂをしっかりと固定ならしむ硬質のクッション材５を付設している。同様にロール芯載置部４にも硬質のクッション材６を付設している。又、ロックバー１を下ろした段階で、該ロックバー１の横ズレを防止する為にロックバー１の先端が当接する中段枠３の適宜位置に横ズレ防止用突起７を突設し、突起７に適合する突起用挿入孔１ｂを穿孔している。【００１０】  ２は自動ロック金具で、ロックバー１とは対向する側の中段枠３に回動部２ｃを介して回動自在に付設したものである。通常の状態は、自動ロック金具２の後方側であるロック解除部２ｂが中段枠３に接し、前方側であるロック部２ａが浮いた状態となる如く付設されている。但し、ロック部２ａの浮いた幅とはロックバー１の先端部厚みと同程度でなければならない。ここで重要なのはロック部２ａの形状であって、図４で示した如く、ロックバー１を下ろした時に先端部が当たって先ずロック部２ａが下がり（即ちロック解除部２ｂが浮き）、そのまま先端部がロック部２ａと摺接しながら下がっていき、中段枠３に至った時に図３の如くロック部２ａが再び上方に上がり（即ちロック解除部２ｂが下がり）、ロックバー１の先端部を確りとロックし得るような湾曲形状としなければならない。つまり、図３の状態になった時には、ロックバー１を強制的に上げようとしてもロック部２ａの下面で先端部が止まって固定されており、上げることが出来ない構造に成っているということである。【００１１】  ロックバー１のロック解除は、ロック解除部２ｂを持ち上げて（浮かせた状態として）、ロック部２ａを中段枠３まで下げた状態とすればロックは解除され、その状態のままでロックバー１を上げれば良く、ロール芯載置部４の開口部分を開けることで、左右のロール芯Ｂを持ち上げてロール体用ボックスＡからロール体を取り出す作業が行えるものとなる。
【産業上の利用可能性】
【００１２】  本発明のロール体用ボックスにおけるロール芯のジャンピング防止装置は、ロックバーの自動ロックによって、確りとロール芯が固定されるためロール体の損傷等による損害を無くすことが出来、又、バネ等を利用していないので耐久性にも優れ、コスト面でも安価に供し得るものであって、その利用価値は極めて高いと言える。
【図面の簡単な説明】
【００１３】
【図１】  本発明の一実施例を示す側面図。
【図２】  ロックした状態を示す平面図。
【図３】  ロックした状態での自動ロック金具を示す側面図。
【図４】  ロックバーが下りつつある段階での自動ロック金具を示す側面図。
【図５】  ロール体用ボックス全体を示す概略斜視図。
【符号の説明】
【００１４】１  ロックバー
２  自動ロック金具
４  ロール芯載置部
【図１】
2008162685.tif 000003
【図２】
2008162685.tif 000004
【図３】
2008162685.tif 000005
【図４】
2008162685.tif 000006
【図５】
2008162685.tif 000007